(57)【要約】      （修正有）【課題】草刈紐の交換が容易で、確実に定位可能な草刈盤を提供する。【解決手段】上下盤体の間にあるリング状縁に、草刈紐が、容易に上下盤体の間に形成された空間に貫設されるための複数の傾斜孔が形成される、草刈機の草刈盤構造であって、上盤体の外側の周縁に、複数の同方向に伸びる欠け口３１２が形成され、各欠け口において、外縁に貫通孔が形成されて、盤体の中心側にねじ穴が形成され、螺着素子を、上盤体の外縁にある孔を貫通して、弾性素子５１と可動ストッパー４が、欠け口に嵌設されてから、ねじ穴に螺着することにより、上盤体の各欠け口の間に組立てられた可動ストッパーにより、適当に、弾性的に付勢することができ、下盤体において、上盤体の各欠け口に組立てられた上記可動ストッパーに対応する位置に凹槽３２１が形成され、可動ストッパーが、下へ変位する時、下盤体に突入する部分が、その凹槽に収納される。上記の構造により、草刈紐の交換や巻き付きが、より簡単になる。【選択図】図１
0003152249.tif 000002
【実用新案登録請求の範囲】
【請求項１】
主として、上下盤体の間にあるリング状縁に、草刈紐が、容易に上下盤体の間に形成された空間に貫設されるための複数の傾斜孔が形成される、草刈機の草刈盤構造であって、
上盤体の外側の周縁に、複数の同方向に伸びる欠け口が形成され、各欠け口において、外縁に貫通孔が形成されて、盤体の中心側にねじ穴が形成され、螺着素子を、上盤体の外縁にある孔を貫通して、弾性素子と可動ストッパーが、欠け口に嵌設されてから、ねじ穴に螺着することにより、上盤体の各欠け口の間に組立てられた可動ストッパーにより、適当に、弾性的に付勢することができ、
下盤体において、上盤体の各欠け口に組立てられた上記可動ストッパーに対応する位置に凹槽が形成され、可動ストッパーが、下へ変位する時、下盤体に突入する部分が、その凹槽に収納される、
ことを特徴とする草刈機の草刈盤構造。
【請求項２】
上記上盤体の各欠け口の間に組立てられた可動ストッパーは、傾斜部と、自由端に形成された握り部とが形成される、ことを特徴とする請求項１に記載の草刈機の草刈盤構造。
【請求項３】
主として、上下盤体の間にあるリング状縁に、草刈紐が、容易に上下盤体の間に形成された空間に貫設されるための複数の傾斜孔が形成される、草刈機の草刈盤構造であって、
上盤体の外縁に、複数の円弧欠け口が形成され、また、下盤体において、上盤体の上記各円弧欠け口に対応する位置に、所定の頭部を有する螺着素子を底部にあるナットに螺着するためのねじ穴が設けられ、上記螺着素子の頭部の外縁と上盤体の上記円弧欠け口との間にギャップが形成され、上下盤体の間に巻き付かれた草刈紐が定位されることを特徴とする草刈機の草刈盤構造。
【請求項４】
上記螺着素子の頭部は、草刈紐のサイズに応じて調整できることを特徴とする請求項３に記載の草刈機の草刈盤構造。
【考案の詳細な説明】
【技術分野】
【０００１】
本考案は、草刈機の草刈盤構造に関し、特に、草刈り用の草刈盤において、草刈紐を交換する時、簡単な操作で、紐を巻き付くことができ、また、確実に定位できるものに関する。
【背景技術】
【０００２】
既存の草刈盤は、草刈紐を交換する時、草刈紐を収納する紐槽の一部が封鎖されているため、草刈紐の交換に時間が掛かって、不便である。
【０００３】
従来の草刈盤は、図１３と図１４のように、盤体１の中心に、草刈り機の動力出力端が接続される設置孔１１が形成され、また、盤体の一側の周縁に、所定の方向に、突出ストッパー１２が形成され、盤体の上下周縁の間に、草刈紐２を巻き付くための紐槽１３が形成され、そして、上記盤体の突出ストッパー１２により、草刈紐２を適当に定位でき、上記草刈紐２の前後端が、盤体１の外縁から露出して草刈りの刃部として利用される。上記の草刈盤の突出ストッパー１２は、草刈紐２の方向定位ができるが、草刈紐２を交換する時、方向が制限されるため、不便になる。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、草刈紐を交換する時、簡単な操作で、紐を巻き付くことができ、また、確実に定位できる草刈機の草刈盤構造を提供する。
【課題を解決するための手段】
【０００６】
請求項１の考案は、主として、上下盤体の間にあるリング状縁に、草刈紐が、容易に上下盤体の間に形成された空間に貫設されるための複数の傾斜孔が形成される、草刈機の草刈盤構造であって、上盤体の外側の周縁に、複数の同方向に伸びる欠け口が形成され、各欠け口において、外縁に貫通孔が形成されて、盤体の中心側にねじ穴が形成され、螺着素子を、上盤体の外縁にある孔を貫通して、弾性素子と可動ストッパーが、欠け口に嵌設されてから、ねじ穴に螺着することにより、上盤体の各欠け口の間に組立てられた可動ストッパーにより、適当に、弾性的に付勢することができ、下盤体において、上盤体の各欠け口に組立てられた上記可動ストッパーに対応する位置に凹槽が形成され、可動ストッパーが、下へ変位する時、下盤体に突入する部分が、その凹槽に収納される、ことを特徴とする草刈機の草刈盤構造である。
【０００７】
請求項２の考案は、上記上盤体の各欠け口の間に組立てられた可動ストッパーに、傾斜部と、自由端に形成された握り部とが形成される、ことを特徴とする請求項１に記載の草刈機の草刈盤構造である。
【０００８】
請求項３の考案は、主として、上下盤体の間にあるリング状縁に、草刈紐が、容易に上下盤体の間に形成された空間に貫設されるための複数の傾斜孔が形成される、草刈機の草刈盤構造であって、上盤体の外縁に、複数の円弧欠け口が形成され、また、下盤体において、上盤体の上記各円弧欠け口に対応する位置に、所定の頭部を有する螺着素子を底部にあるナットに螺着するためのねじ穴が設けられ、上記螺着素子の頭部の外縁と、上盤体の上記円弧欠け口との間にギャップが形成され、上下盤体の間に巻き付かれた草刈紐が定位されることを特徴とする草刈機の草刈盤構造である。
【０００９】
請求項４の考案は、上記螺着素子の頭部が、草刈紐のサイズに応じて調整できることを特徴とする請求項３に記載の草刈機の草刈盤構造である。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
本考案に係る草刈機の草刈盤３構造は、図１〜図４のように、上下盤体３１、３２の間にあるリング状縁３３に、草刈紐５が、容易に上、下盤体３１、３２の間に形成された空間３４に貫設されるための（図２と図４のように）複数の傾斜孔３３１が形成され、上盤体３１の中心部位に、草刈り機の動力出力端が接続されるための設置孔３１１が形成され、また、上盤体３１の外縁に、複数の同方向に伸びる欠け口３１２が形成され（図１のように）、各欠け口３１２において、外縁に貫通孔３１３が形成され、盤体の中心側にねじ穴３１４が形成され、螺着素子５を、上盤体３１の外縁にある孔３１３を貫通して、弾性素子５１と可動ストッパー４が、欠け口３１２に嵌設されてから（図１と図２のように）、ねじ穴３１４に螺着することにより、上記上盤体３１の各欠け口３１２の間に組立てられた可動ストッパー４により、適当に、弾性的に付勢することができ、下盤体３２において、上盤体３１の各欠け口３１２に組立てられた上記可動ストッパー４に対応する位置に凹槽３２１が形成され（図３のように）、可動ストッパー４が、下へ変位する時、下盤体３２に突入部分が、その凹槽３２１に収納され、また、上記可動ストッパー４は、傾斜部４１と、自由端に形成された握り部４２とが形成される（図１のように）。
【００１２】
組立てられた草刈盤３に対して、草刈紐６を、交換するため、巻き付く時（図７と図８のように）、手で、握り部４２を利用して、可動ストッパー４を上へ変位させると、可動ストッパー４が、オープン状態になって、上、下盤体３１、３２の間にある空間３４が、開放状になり、これにより、草刈紐６の交換や巻き付きが容易になり、また、草刈紐６を巻き付いた後、手で、握り部４２を利用して、上記可動ストッパー４を下へ押すと（図５と図６のように）、可動ストッパー４が、元の位置に戻り、上、下盤体３１、３２の間にある空間３４も、一部閉鎖状になり、そして、外へ伸びた草刈紐６が定位される。
【００１３】
本考案の他の実施例の草刈盤３’は（図９と図１２のように）、上、下盤体３１、３２の間にあるリング状縁３３に、草刈紐６が、容易に上、下盤体３１、３２の間に形成された空間３４に貫設されるための複数の傾斜孔３３１が形成され、図１２のように、また、上盤体３１の外縁に、複数の円弧欠け口３５が形成され（図９のように）、また、下盤体３２において、上盤体３１の上記各円弧欠け口３５に対応する位置に、所定の頭部３６１を有する螺着素子３６を底部にあるナット３７に螺着するためのねじ穴３２２が設けられ、上記螺着素子３６の所定の長さが螺入されると（図１０と図１１のように、その頭部３６１の外縁と、上盤体３１の上記円弧欠け口３５との間に、ギャップ３８が形成され、それにより、上、下盤体３１、３２の間に巻き付かれて外へ伸びた草刈紐６が定位される。
【００１４】
そのため、本考案は、より進歩的かつより実用的で、法に従って実用新案登録請求を出願する。
【００１５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１６】
【図１】本考案に係る草刈盤の一つの実施例の部品分解立体図
【図２】本考案に係る草刈盤の一つの実施例の正面断面概念図
【図３】本考案に係る草刈盤の間にある可動ストッパーの一部詳細図
【図４】本考案に係る草刈盤の一つの実施例の上面断面概念図
【図５】本考案に係る草刈盤の間にある可動ストッパーが閉鎖になる状態の一部詳細図
【図６】本考案に係る草刈盤の間にある可動ストッパーが閉鎖になる状態の正面一部断面概念図
【図７】本考案に係る草刈盤の間にある可動ストッパーがオープンになる状態の一部詳細図
【図８】本考案に係る草刈盤の間にある可動ストッパーがオープンになる状態の正面一部断面概念図
【図９】本考案に係る草刈盤の他の第二実施例の一部断面立体図
【図１０】図９のＡ部分の詳細分解概念図
【図１１】図９のＡ部分の詳細図
【図１２】本考案に係る草刈盤の他の第二実施例の上面断面概念図
【図１３】従来の草刈盤の外観立体図
【図１４】従来の草刈盤の一部断面概念
【符号の説明】
【００１７】
従来
１    盤体
１１  設置孔
１２  突出ストッパー
１３  紐槽
２    草刈紐
本考案
３、３’草刈盤
３１    上盤体
３１１  設置孔
３１２  欠け口
３１３  孔
３１４、３２２  ねじ穴
３２    下盤体
３２１  凹槽
３３    リング状縁
３３１  傾斜孔
３４    空間
３５    円弧欠け口
３６    螺着素子
３６１  頭部
３７    ナット
３８    ギャップ
４      可動ストッパー
４１    傾斜部
４２    握り部
５      螺着素子
５１    弾性素子
６      草刈紐
【図１】
0003152249.tif 000003
【図２】
0003152249.tif 000004
【図３】
0003152249.tif 000005
【図４】
0003152249.tif 000006
【図５】
0003152249.tif 000007
【図６】
0003152249.tif 000008
【図７】
0003152249.tif 000009
【図８】
0003152249.tif 000010
【図９】
0003152249.tif 000011
【図１０】
0003152249.tif 000012
【図１１】
0003152249.tif 000013
【図１２】
0003152249.tif 000014
【図１３】
0003152249.tif 000015
【図１４】
0003152249.tif 000016